(57)【要約】【課題】必要なときに、必要な位置に、必要な照度を確保することのできるシステムキッチン。【解決手段】本発明のシステムキッチン（１）は、カウンター（８）の後方の壁面（９）に縦横に埋設された複数のソケット（１０）と、複数のソケットのうちの任意のソケットに取り付け可能な光源部（１１）とを備えている。光源部は、任意のソケットに取り付け可能なハロゲンランプと、このハロゲンランプを覆うための光透過性のカバーとを有する。【選択図】  図１
2005052168.tif 000002
【特許請求の範囲】
【請求項１】
所定面に設けられた複数のソケットと、
前記複数のソケットのうちの任意のソケットに取り付け可能な光源部とを備えていることを特徴とするシステムキッチン。
【請求項２】
前記複数のソケットは、カウンターの後方の壁面に埋設されていることを特徴とする請求項１に記載のシステムキッチン。
【請求項３】
前記複数のソケットは、前記壁面において二次元的に配置されていることを特徴とする請求項２に記載のシステムキッチン。
【請求項４】
前記光源部は、前記任意のソケットに取り付け可能なハロゲンランプと、該ハロゲンランプを覆うための光透過性のカバーとを有することを特徴とする請求項１乃至３のいずれか１項に記載のシステムキッチン。
【発明の詳細な説明】
【０００１】
【発明の属する技術分野】
本発明は、システムキッチンに関し、特にシステムキッチンにおける照明に関するものである。
【０００２】
【従来の技術】
従来、システムキッチンでは、調理作業などに必要な照度（明るさ）を確保するために、随時点灯可能な照明装置が適当な位置に常設されている（たとえば、特許文献１および特許文献２を参照）。ＪＩＳで指定された参考値によれば、調理に必要な照度は３００Ｌｘ程度である。ちなみに、読書に必要な照度は７００Ｌｘ程度であり、掃除に必要な照度は４００Ｌｘ程度である。
【０００３】
【特許文献１】
実開昭６３−４２２４４号公報
【特許文献２】
実開平１−１５５８４４号公報
【０００４】
【発明が解決しようとする課題】
本出願人の調査結果によれば、従来の平均的なシステムキッチンにおいて天井に取り付けられた照明などの環境光がない場合、キッチンに取り付けられた照明の直下などのかなり狭い特定領域においてのみ３００Ｌｘ以上の照度が確保されるに過ぎない。また、天井からの環境光やリビングルーム側からの環境光がある場合、３００Ｌｘ以上の照度が確保される領域はある程度広がるが、必ずしもカウンター上の作業面の全体に亘って３００Ｌｘ以上の照度が確保されるわけではない。
【０００５】
一般に、キッチンでは、包丁を用いた細かい調理や、食材のチェックや、小さな文字で書かれたレシピの確認（たとえば読書に類似する作業）や、調理後の清掃（たとえば掃除に類似する作業）などを、様々なタイミングで様々な位置において行う必要がある。上述のＪＩＳ指定の照度参考値および本出願人の調査結果を参照すると、従来のシステムキッチンでは、必要なときに、必要な位置に、必要な照度を確保することができなかった。
【０００６】
本発明は、前述の課題に鑑みてなされたものであり、必要なときに、必要な位置に、必要な照度を確保することのできるシステムキッチンを提供することを目的とする。
【０００７】
【課題を解決するための手段】
前記課題を解決するために、本発明では、所定面に設けられた複数のソケットと、
前記複数のソケットのうちの任意のソケットに取り付け可能な光源部とを備えていることを特徴とするシステムキッチンを提供する。
【０００８】
本発明の好ましい態様によれば、前記複数のソケットは、カウンターの後方の壁面に埋設されている。この場合、前記複数のソケットは、前記壁面において二次元的に配置されていることが好ましい。また、前記光源部は、前記任意のソケットに取り付け可能なハロゲンランプと、該ハロゲンランプを覆うための光透過性のカバーとを有することが好ましい。
【０００９】
【発明の実施の形態】
本発明のシステムキッチンは、たとえばカウンターの後方の壁面のような所定面に設けられた複数のソケットと、これらの複数のソケットのうちの任意のソケットに取り付け可能な光源部とを備えている。したがって、複数のソケットのうちの任意の１つまたは複数のソケットに１つまたは複数の光源部をそれぞれ取り付けて光源部を適時点灯させることにより、すなわち照明を自由に移動させることにより、必要なときに、必要な位置に、必要な照度を確保することができる。
【００１０】
特に、本発明では、複数のソケットをカウンターの後方の壁面に埋設することが好ましい。この構成により、必要なときに、作業をする機会が最も多いカウンター上の必要な位置に、必要な照度を確保することができる。この場合、複数のソケットが壁面において二次元的に配置されていることが好ましい。この構成により、光源部の取付け位置の自由度が高くなるので、カウンター上などにおいて照度分布の異なる多様な照明を得ることができる。
【００１１】
また、本発明では、光源部が、任意のソケットに取り付け可能なハロゲンランプと、このハロゲンランプを覆うための光透過性のカバーとを有することが好ましい。この構成により、たとえば手で光源部のカバーを把持しつつ、ソケットへの光源部の取付けおよびソケットからの光源部の取外しを容易に行うことができる。
【００１２】
本発明の実施形態を、添付図面に基づいて説明する。
図１は、本発明の実施形態にかかるシステムキッチンの全体構成を概略的に示す斜視図である。また、図２は、本実施形態にかかる光源部およびソケットの要部構成を概略的に示す図である。また、図３は、本実施形態の光源部をソケットに取り付けた外観を概略的に示す図である。
【００１３】
図１を参照すると、本実施形態にかかるシステムキッチン１は、床（不図示）の上に載置されたベースキャビネット２を備えている。ベースキャビネット２の上部には、システムキッチン１に向かって左側から、たとえばＩＨのような加熱調理器３と、シンク４とが設けられている。
【００１４】
また、シンク４に隣接して、たとえば湯水混合型の水栓５が設けられている。なお、加熱調理器３の上方には、レンジフード６が設けられている。また、シンク４の上方には、レンジフード６に隣接してシステムキッチン１の一端まで延びるように吊り戸棚７が設けられている。
【００１５】
さらに、本実施形態にかかるシステムキッチン１では、カウンター８の後方の壁面９に複数（図１では例示的に１８個）のソケット１０が縦横に（二次元的に）埋設されている。そして、これらの複数のソケット１０のうち、任意に選択された複数（図１では例示的に４つ）のソケット１０に、光源部１１がそれぞれ取り付けられて点灯している。
【００１６】
図２に示すように、基本的に通常の形態を有するソケット１０は、カウンター８の後方の壁面９に、すなわち壁面９を構成する壁パネル９ａに埋設されている。一方、光源部１１は、任意のソケット１０に取り付け可能なハロゲンランプ１１ａと、このハロゲンランプ１１ａを覆うための光透過性の（たとえばガラス製の）カバー１１ｂとを有する。
【００１７】
なお、ハロゲンランプ１１ａの交換のために、カバー１１ｂとハロゲンランプ１１ａとは着脱自在に構成されている。図３に示すように、壁面９を構成する壁パネル９ａに埋設されたソケット１０に取り付けられた光源部１１は、たとえば前方に向かって放射状に照明光を発し、ひいてはカウンター（シンク４を含む広い概念）８などを照明する。カウンター８における照度は、取り付けられた光源部１１の高さ位置に応じて変化する。なお、ソケット１０は、例えばキッチンルームの入口近傍に設けられた主電源またはキッチン本体に組み込まれた主電源に接続され、この主電源のスイッチをオフにすることによりソケット１０への通電を止めることもできる。
【００１８】
以上のように、本実施形態のシステムキッチン１は、カウンター８の後方の壁面９に設けられた複数のソケット１０と、これらの複数のソケット１０のうちの任意のソケット１０に取り付け可能な光源部１１とを備えている。したがって、複数のソケット１０のうちの任意の１つまたは複数のソケット１０に１つまたは複数の光源部１１をそれぞれ取り付けて光源部１１を適時点灯させることにより、すなわち照明を自由に移動させることにより、必要なときに、必要な位置に（特に作業をする機会が最も多いカウンター８上の必要な位置に）、必要な照度を確保することができる。
【００１９】
また、本実施形態では、複数のソケット１０が壁面９において二次元的に配置されているので、光源部１１の取付け位置の自由度が高くなっており、カウンター８上などにおいて照度分布の異なる多様な照明を得ることができる。また、本実施形態では、光源部１１が、任意のソケット１０に取り付け可能なハロゲンランプ１１ａと、このハロゲンランプ１１ａを覆うための光透過性のカバー１１ｂとを有するので、たとえば手で光源部１１のカバー１１ｂを把持しつつ、ソケット１０への光源部１１の取付けおよびソケット１０からの光源部１１の取外しを容易に行うことができる。
【００２０】
なお、上述の実施形態では、カウンター８の後方の壁面９に複数のソケット１０を設けているが、これに限定されることなく、壁面９以外の適当な所定面に複数のソケットを設ける変形例も可能である。
【００２１】
また、上述の実施形態では、カウンター８の後方の壁面９において複数のソケット１０を縦横に配置している。しかしながら、これに限定されることなく、ソケットの数および配置については様々な変形例が可能である。
【００２２】
また、上述の実施形態では、光源部１１が、ソケット１０に取り付け可能なハロゲンランプ１１ａと、ハロゲンランプ１１ａを覆うための光透過性のカバー１１ｂとにより構成されている。しかしながら、これに限定されることなく、光源部１１の具体的な構成については様々な変形例が可能である。
【００２３】
また、上述の実施形態では、光源としてハロゲンランプを用いているが、これに限定されることなく、ハロゲンランプに代えて、たとえば蛍光ランプやＬＥＤのような他の適当な光源を用いることもできる。
【００２４】
【発明の効果】
以上説明したように、本発明のシステムキッチンは、たとえばカウンターの後方の壁面に設けられた複数のソケットと、これらの複数のソケットのうちの任意のソケットに取り付け可能な光源部とを備えている。その結果、複数のソケットのうちの任意の１つまたは複数のソケットに１つまたは複数の光源部をそれぞれ取り付けて光源部を適時点灯させることにより、すなわち照明を自由に移動させることにより、必要なときに、必要な位置に（特に作業をする機会が最も多いカウンター上の必要な位置に）、必要な照度を確保することができる。
【００２５】
また、本発明では、複数のソケットを壁面において二次元的に配置すると、光源部の取付け位置の自由度が高くなるので、カウンター上などにおいて照度分布の異なる多様な照明を得ることができる。なお、複数のソケットのうちの任意のソケットに代えて、あるいは任意のソケットの近傍にコンセントを配設することもできる。
【００２６】
また、本発明では、光源部が、任意のソケットに取り付け可能なハロゲンランプと、このハロゲンランプを覆うための光透過性のカバーとを有する構成を採用すると、たとえば手で光源部のカバーを把持しつつ、ソケットへの光源部の取付けおよびソケットからの光源部の取外しを容易に行うことができる。
【図面の簡単な説明】
【図１】本発明の実施形態にかかるシステムキッチンの全体構成を概略的に示す斜視図である。
【図２】本実施形態にかかる光源部およびソケットの要部構成を概略的に示す図である。
【図３】本実施形態の光源部をソケットに取り付けた外観を概略的に示す図である。
【符号の説明】
１  システムキッチン
２  ベースキャビネット
３  加熱調理器（ＩＨ）
４  シンク
５  水栓
６  レンジフード
７  吊り戸棚
８  カウンター
９  壁面
９ａ  壁パネル
１０  ソケット
１１  光源部
１１ａ  ハロゲンランプ
１１ｂ  カバー
【図１】
2005052168.tif 000003
【図２】
2005052168.tif 000004
【図３】
2005052168.tif 000005